(57)【要約】      （修正有）【課題】一定の圧力を有する水流を用いる家庭用歯の清掃器を提供する。【解決手段】歯の清掃器は、貯水タンクＡ、握り手、逆流カバー、噴水ヘッド、調整式ノズル、小型流れ止めブレード、大型流れ止めブレード、などの部材で構成され、貯水タンクＡは浄水及び廃棄水を貯蔵するための密閉装置であり、貯水タンクＡは浄水チャンバーＸと廃棄水チャンバーＨを有している。浄水チャンバーＸは密封カバー５付きの浄水入水口１と、モータＢに接続された浄水出水口２を有する。廃棄水チャンバーＨは廃棄水管７に連結された廃棄水入水口３と、密封カバー５付きの廃棄水出水口４を有する。浄水チャンバーＸの体積が縮小した場合、廃棄水チャンバーＨの体積が同等に増大し、それにより負圧を形成し、浄水を浄水チャンバーＸから口腔に注ぐと同時に、自動的に口腔から廃棄水チャンバーＨに廃棄水を回収することを実現する。【選択図】図１
0003225483.tif 000002
【実用新案登録請求の範囲】
【請求項１】
家庭用歯の清掃器であって，主な部材として貯水タンクＡと，モータＢ，及び握り手Ｃを含み，握り手Ｃに噴水ヘッドＥが取り付けられており，その特徴は以下のとおりである。
前記貯水タンクＡは浄水チャンバーＸと廃棄水チャンバーＨを有し，
前記浄水チャンバーＸと廃棄水チャンバーＨは、
貯水タンクＡの内壁に沿って不浸透性軟質膜により，貯水タンクＡを分割することによって形成される；または，柔軟な不浸透性内袋を貯水タンクＡ内に配置し，その不浸透性内袋は貯水タンクＡと容量が同等であり，貯水タンクＡにおける、前記浄水チャンバーＸと廃棄水チャンバーＨのいずれか一つのチャンバーの特徴を有し，且つそれぞれに対応して嵌合されて，貯水タンクＡを分割することにより形成される；または，ピストンで貯水タンクＡを分割することにより形成されており、
前記握り手Ｃには廃棄水管（７）が内蔵されており，廃棄水管（７）は握り手Ｃの入口端から口腔内に挿入され，前記廃棄水管（７）の末端に中空垂下ヘッド（１０）が套設され、大型流れ止めブレードＹは皿状容器であり，一端が水滴り落ち口（４１），またはアヒル口状水溜まり口（４３）を有し，他端が指挿入リング（３０），または指挿入ハーフリング（４４）を有し，または，裏面が指挿入リング（３０），または指挿入ハーフリング（４４），またはハンドグリップ（２９），またはハーフハンドグリップ（４５）を有する。
【請求項２】
請求項１に記載の家庭用歯の清掃器であって，小型流れ止めブレードＧは握り手Ｃの上部の真中、口腔外の位置に設けられており，縁辺は浅い皿状、波状であり，または一枚または複数のブレード／花弁が合わさって囲んでいるようなものである、ことを特徴とする家庭用の歯の清掃器。
【請求項３】
請求項１に記載の家庭用歯の清掃器であって，前記噴水ヘッドＥは逆流カバーＤと，内部ホース（１６）と，外部ホース（１５）及び連結部材で構成される、ことを特徴とする家庭用の歯の清掃器。
【請求項４】
請求項１または３に記載の家庭用歯の清掃器であって，前記噴水ヘッドＥにノズルＦが取り付けられており，前記ノズルＦは部分的に透かし彫りのフェースプレート（２２）によってベースプレート（２１）の軸心を介してベースプレート（２１）内に嵌められており，フェースプレート（２２）はノブ（１９）を有し，軸心は出水穴を有し，ベースプレート（２１）の広縁（２３）は４５度の中心角を持つ開口（２４）を有する、ことを特徴とする家庭用の歯の清掃器。
【請求項５】
請求項１または３のいずれか一項に記載の家庭用歯の清掃器であって，前記噴水ヘッドＥにノズルＦが取り付けられており，前記ノズルＦには漏れ止めボール（３８）が操作レバー（３１）を介して連結され，漏れ止めボール（３８）は内蔵されたバネ（４２）によって排水ボール（３９）に連結され，漏れ止めボール（３８）はバネ（３２）と連動し，排水ボール（３９）がベースプレート（２１）における排水口（３５）を制御すると同時に，漏れ止めボール（３８）はフェースプレート（２２）と連動する作動チャンバー（３４）を制御する、ことを特徴とする家庭用の歯の清掃器。
【請求項６】
請求項３に記載の家庭用歯の清掃器であって，前記逆流カバーＤの外形はボウル／カップ状（Ｄ１），またはラッパ状（Ｄ１−１），または両者の混合形状（Ｄ１−２），（Ｄ１−３）である、ことを特徴とする家庭用の歯の清掃器。
【請求項７】
請求項６に記載の家庭用歯の清掃器であって，前記逆流カバー（Ｄ１），（Ｄ１−１），（Ｄ１−２）の内部の周りに軟質の毛が植え込まれる、ことを特徴とする家庭用の歯の清掃器。
【考案の詳細な説明】
【技術分野】
【０００１】
本考案は家庭で使用される一定の圧力を有する水流を用いて歯の清掃を行う装置に関する。
【背景技術】
【０００２】
日常の歯の清掃を行う場合には，歯磨きを不適切に使用すれば，エナメル質ばかりでなく，象牙質さえ傷つけることになる。一定の圧力を有する水流で歯を洗い流すことは歯及び歯肉の保護により良い。
【０００３】
現在，一部の家庭用歯の清掃器はまだ複数の根本的な問題を解決することができない。例えば水を口腔に注いだが，口腔から直ちに導出することができないため，歯の清掃プロセスを頻繁に中断させなければならず，最終的にあきらめるほかないこと。圧力のある水で歯の表面を洗い流すと，水しぶきが口腔外に飛び散り，水流の圧力が大きいほど，水しぶきの飛び散りが激しくなるが，水流に圧力がなければ，全く効果がないため，なんの意味もないこと。手で握り手を回すことにより，水流の上下洗い流し方向を調整することができるが，左右に調整する方法がない（歯は弧を描く面である）ことなど。本発明は上記問題を解決し，人々が日常生活の中で実際に歯の清掃器を容易に応用することを可能にする。
【考案の概要】
【０００４】
既存の家庭用歯の清掃器は主に貯水タンクと，モータ及び握り手で構成され，本発明は歯の清掃器の以下の複数の部材に関するもので、貯水タンクＡ，握り手Ｃ，逆流カバーＤ，噴水ヘッドＥ，調整式ノズルＦ，小型流れ止めブレードＧ，大型流れ止めブレードＹを備える。図１における点線枠Ｂはモータ部（言及されたモータは超小型給水ポンプ）を表し，本発明は該部分の内容に関係しない。
【０００５】
貯水タンクＡ：貯水タンクＡは浄水及び廃棄水を貯蔵するための密閉装置であり，図１において球形のガラスタンクを例に取って説明する。貯水タンクＡは浄水チャンバーＸと廃棄水チャンバーＨを有しており，浄水チャンバーＸは密封カバー（５）付きの浄水入水口（１）と，モータＢに接続された浄水出水口（２）を有する。廃棄水チャンバーＨは廃棄水管（７）に連結された廃棄水入水口（３）と，密封カバー（５）付きの廃棄水出水口（４）を有する。
【０００６】
浄水チャンバーＸの体積が縮小した場合，廃棄水チャンバーＨの体積が同等に増大し，それにより負圧を形成し，浄水を浄水チャンバーＸから口腔に注ぐと同時に，自動的に口腔から廃棄水チャンバーＨに廃棄水を回収することを実現するため，以下の方法を有する。
ａ，貯水タンクＡを不浸透性軟質膜で内壁に沿って２つに分割する。
ｂ，柔軟な不浸透性内袋を貯水タンクＡ内に配置し，内袋は貯水タンクと容量が同じぐらいであり，浄水入水口と，浄水出水口を有するものであり，貯水タンクＡに相重なる。逆も同様に，内袋は廃棄水入水口と，廃棄水出水口を有する。
ｃ，ピストン法であり，図２に簡潔に示すとおりである。
【０００７】
図１に不浸透性軟質膜（９）を例として示し，不浸透性軟質膜（９）は広げることが可能であり，これによりいずれか一つのチャンバーを容量が貯水タンクＡの総容量とほぼ同じものにする。貯水タンクＡにおける浄水はモータＢによって吸い上げられ，浄水配管（６）を経て握り手に到達する。廃棄水入水口（３）に連結された廃棄水管（７）の末端が口腔に到達する。
【０００８】
使用時，まず浄水を浄水入水口（１）から注ぎ，密封カバー（５）を被せる。同様に廃棄水出水口（４）に密封カバー（５）を被せる。この場合には，貯水タンクＡの浄水チャンバーに水があるが，廃棄水チャンバーに水がない。歯の清掃器が作動する際，モータによって浄水を吸い上げ，浄水チャンバーＸの体積を縮小させ，同時に廃棄水チャンバーＨに負圧を形成すると，廃棄水は廃棄水管（７）に沿って廃棄水チャンバーＨに吸入される。これにより，浄水を口腔に注ぎ，廃棄水を口腔から自動的に排出する作業を，同時且つ等量に行う。
【０００９】
貯水タンクＡにおける浄水入水口（１）と浄水出水口（２）とを結合して水道口（４６）とし，廃棄水入水口（３）と廃棄水出水口（４）とを結合して廃棄水口（４９）とし，且つそれぞれ穴付き蓋（４７）を配置することもでき，図１０に示すとおりである。モータＢ部は二本のガラス製挿入管（４８）を有しており，穴付き蓋（４７）に挿入することができる。ガラス製挿入管（４８）はそれぞれモータＢ及び廃棄水管（７）に連結される。モータＢ及び廃棄水管（７）の一部が容器Ｐの中に密封されており，これにより貯水タンクＡと容器Ｐとの分離を実現し，貯水タンクＡの洗浄，及び部材の交換を便利にすることができる。該貯水タンクＡにおける浄水チャンバーＸと廃棄水チャンバーＨとの分割方法については前の例を参考にする。
【００１０】
握り手Ｃ：握り手は歯の清掃器の重要な部材であり，浄水を握り手を介して口腔に搬送する。一般的な握り手にはモータＢから引き出され且つ噴水ヘッドと連結されている浄水配管（６）が内蔵されており，または電極／電線（８），及びスイッチなどを有し，本発明の握り手Ｃにはさらに廃棄水管（７）も内蔵される。廃棄水管（７）は握り手Ｃの入口端から延出し，廃棄水管（７）の末端に中空垂下ヘッド（１０）が設けられており，垂下ヘッドはステンレス鋼または他のより重い食品グレードの材料から製造され，したがって廃棄水管（７）が常に下顎に向かって垂下することを保証する。握り手Ｃの浄水出水口部は連結部材を有し，噴水ヘッドＥを取り付けるために用いられ，本発明では内ネジを例にして示す。握り手Ｃは図３に示すとおりである。
【００１１】
逆流カバーＤ：既存の歯の清掃器はいずれも逆流カバーがなく，逆流カバーは重要な発明である。逆流カバーＤは握り手における噴水ヘッドＥに嵌められており，噴水ヘッドＥとともに口腔内に入り，その目的は水しぶきが口腔外に飛び散ることを防止し，且つ水しぶきを収集し，それを口腔に還流させることである。逆流カバーＤは様々な形状でもよく，図４に示すとおり，ボウル／カップ状Ｄ１，ラッパ状Ｄ１−１，前述した両者の混合形状Ｄ１−２，Ｄ１−３，または他の類似した異形であり，より柔軟な食品グレードの材料，例えばシリコーンゴム，またはその他の安全で、歯肉を傷つけることのない材料から製造される。本発明ではボウル／カップ状を例にして示す。逆流カバーの開口の直径については上下二つのクラウンの長さの和を参考にし，高さについては歯ブラシにおける毛の高さを参考にする。
【００１２】
逆流カバーＤの第１実施例：逆流カバーの内部の周りに軟質の毛（１３）が植え込まれており，これにより異なるユーザのニーズを満たし，図４におけるＤ２に示すとおりである。逆流カバーＤ２のフード本体は，軟質硬質材料のいずれでも製造されてもよい。
【００１３】
逆流カバーＤの第２実施例，即ち広縁付きの逆流カバー：逆流カバーＤは飛び散りを防止する以外，さらに噴水ヘッドにおける外部ホース（１５）、握り手Ｃと合わさって水流の方向調整に協力する機能を果たすため，逆流カバーＤ３の縁部を少し厚くし，厚さは２〜４ｍｍであり，図４におけるＤ３に示すとおり，それにより付着力を増加させる。使用時，逆流カバーＤ３を歯または歯肉に軽く触れ，続いて握り手を引いたり、押したり、または上下にずらして動かしたりすることにより，水流の噴出方向を左右上下方向に微調整することを実現し，死角をなくすことを実際に遂行する。
【００１４】
逆流カバーＤの第３実施例，即ち逆流カバーＤの異形Ｄ４であり，カバー本体（１１）はより低く，高さが６〜１２ｍｍであり，開口がより小さく，直径が一つのクラウンの高さ，即ち６〜１２ｍｍである。図４におけるＤ４に示すとおりである。該逆流カバーの主な機能は飛び散りを防止することではなく，水流の方向調整に協力することである。上下顎における歯の内縁に沿って清掃する場合には，噴水ヘッドは口腔内部から外に向くため，逆流カバーＤの逆流機能は意味がない。このような逆流カバーが取り付けられている噴水ヘッドは歯の内縁に沿った清掃用の噴水ヘッドである。
【００１５】
逆流カバーＤの第４実施例，即ち支持体付きの逆流カバー：逆流カバーＤが傘のように風に吹かれて裏返しになることを防止するため，逆流カバーには外部支持体（Ｔ−１１）が設けられており，または内部支持体（Ｔ−１２）と外部支持体（Ｔ−１１）が同時に設けられており，図４におけるＤ５，Ｄ５−１に示すとおりである。
【００１６】
支持体は図４におけるＴ−１１に示すとおり，及びＴ−１２に支持ブレード（２７）と支持ボトム（２６）との関係を示す。図４におけるＴ１とＴ２はそれぞれ三つのブレードを備える支持体及び四つのブレードを備える支持体の平面図であり，支持ブレードはさらに様々な形状でもよく，例えば花などである。本発明において，外部支持体の支持ボトム（２６）と外部ホース（１５）とが一体に連結されており，一般的に内部支持体ボトム（２６）はノズルＦの一部分であり，ノズルＦのベースプレート（２１）である。
【００１７】
噴水ヘッドＥ：噴水ヘッドは単線噴水ヘッドと複線噴水ヘッドを有し，逆流カバーＤ，及び内部ホース（１６）、外部ホース（１５）並びに連結部材（本発明において外ネジを例にして連結部材を示す）で構成され，握り手Ｃに取り付けられる。逆流カバーＤ、内部ホース（１６）及び防水リング（１７）は着脱不可の一体に連結されており，外部ホース（１５）及び連結部材を嵌めると噴水ヘッドＥが構成される。内部支持体（Ｔ−１１）と外部支持体（Ｔ−１２）とを同時に有する場合には，ネジによって連結して固定し，図５における断面図Ｅ１及び分解図Ｅ１−１に示すとおりである。
【００１８】
噴水ヘッドＥにおける外部ホース（１５）は内部ホース（１６）に対して支持機能を果たし，且つ逆流カバー、握り手と合わせて水流の方向を柔軟に調整する。外部ホース（１５）は金属製ホースまたは繊維で編まれたホースまたは該性能を満たすことができるその他の材料から製造される。本発明では金属製ホースを例に示し，図５に示すとおりである。
【００１９】
内部ホース（１６）における単孔または多孔によって噴水ヘッドに単線または複線を形成する。内部支持体を有する場合，内部ホース（１６）の出水孔の代わりに内部支持体のベースプレート（２１）に一つまたは複数の出水孔を開けば，効果は同様である。噴水ヘッドＥにさらに調整式ノズルＦを取り付けてもよく，これにより出水流の切り換えを実現する。
【００２０】
調整式ノズルＦ：調整式ノズル全体の斜視図は図６におけるＦに示すとおり，Ｆ−１はそれぞれベースプレート（２１）と，フェースプレート（２２）の斜視図である。ベースプレート（２１）はフェースプレート出水孔（４０）を有する。フェースプレート（２２）とフェースプレート（２１）との接触面は堅固に接着され且つ対応する出水孔を有する軟質遮水層（２０）を備える。ベースプレート（２１）の広縁（２３）は４５度の中心角を持つ開口（２４）を有し，ベースプレート（２１）の軸心は出水孔を有する。ベースプレート（２１）とフェースプレート（２２）とが軸心を介して嵌合されており，固定リング（１８）によってベースプレート（２１）の軸心に溶接され，４つのバックル（２８）によって広縁（２３）に溶接され，これによりフェースプレート（２２）が堅固に挟まれる。フェースプレート（２２）におけるノブ（１９）を動かすと，フェースプレート（２２）は軸心を介して反時計回りまたは時計回りに中心角２２．５度回転し，ベースプレートにおける出水孔（４０）を閉じまたは開ける。フェースプレート（２２）のスタイルについてはさらにＦ−２に示すような透かし彫りを用いてもよく，目的はベースプレート（２１）との接触面を小さくすることで，摩擦力を低減させ，且つ美しくすることである。Ｆ−３は該ノズルの本発明における応用図である。
【００２１】
調整式ノズルＦの第２実施例：図７におけるＦ１に示すとおりである：ベースプレート（２１）とフェースプレート（２２）とが軸心（２５）を介して嵌合されており，トップカバー（３６）によって封止される。軸心（２５）は出水孔を有しており，軸心は円形で，一つの出水孔を有し，平面図の図Ｆ１−３に示すようなものであってもよく，さらに長方形で，一列の出水孔を有し，平面図の図Ｆ１−４に示すようなものであってもよい。フェースプレート（２２）はフェースプレート出水孔（３７）を有し，ベースプレート（２１）は排水口（３５）を有する。ベースプレートとフェースプレートとの間に制御弁が設けられており，図７におけるＦ１−１に示すとおりである。バネ（３２）が伸びた場合，漏れ止めボール（３８）は作動チャンバー（３４）を封止し，これにより水漏れを発生させることがない。同時に，排水口（３５）から排水ボール（３９）が離れ，フェースプレート出水孔（３７）から水を出す；操作ボタン（３３）を押すと，操作レバー（３１）が右へ移動し，バネ（３２）を圧縮し，排水ボール（３９）で排水口（３５）を塞ぎ，フェースプレート出水孔（３７）からの出水を止める；このように繰り返される。図Ｆ１−２は操作レバー（３１），漏れ止めボール（３８），排水ボール（３９）の間の構造関係の拡大図であり，その中にバネ（４２）が内蔵されており，その機能は操作ボタン（３３）と操作レバー（３１）における歯の噛み合い動作プロセスのための弾性運動空間を縮小及び拡大し，単線に切り換えた場合，排水口（３５）を封止するために排水ボール（３９）をぴったりとくっつけることである。操作ボタン（３３），作動チャンバー（３４），操作レバー（３１）について，その構造がボールペンの伸縮構造及び力学原理と一致するため，本発明は詳しい説明を省略する。本発明における該ノズルの応用は前の例に類似する。歯の清掃時，歯に操作ボタン（３３）を軽く叩くだけで水流を単線または複線に切り換えることができる。調整式ノズルの第２実施例はさらにシャワーヘッドなどのシャワー器具に応用することもできる。
【００２２】
小型流れ止めブレードＧ：小型流れ止めブレード（Ｇ）は浅皿状または波状であり，図８におけるＧ及びＧ１に示すとおりである。または葉／花弁の形を持ち，一枚または複数枚が合わさって囲むようにして，図８におけるＧ２に示すとおりである。小型流れ止めブレードＧは握り手の上部の真中、口腔外の位置に設けられており，シリコーンゴム，プラスチックなどの材料から製造されてもよく，握り手に固く嵌められており，さらに握り手と同じ材料であり，且つ握り手と一体化されてもよく，それぞれＧ−１，Ｇ−２に示すとおりである。機能は以下のとおりである。少量の水が握り手に沿って手，ひいては握り手におけるスイッチにまで滑り落ちることを防止する。小型流れ止めブレードＧはさらに歯ブラシなどのその他の歯の清掃ツールに応用することもできる。
【００２３】
大型流れ止めブレードＹ：大型流れ止めブレード（Ｙ）は浅い口の容器のようであり，水滴り落ち口（４１），またはアヒル口状の水溜まり口（４３）を有し、水流を集めるために用いられる。他端は指挿入リング（３０），または指挿入ハーフリング（４４）を有し，図９におけるＹに示すとおりである。さらに指挿入リング（３０）または指挿入ハーフリング（４４）を外部の底部に設置し，またはそれを大きくし，ハンドグリップ（２９），またはハーフハンドグリップ（４５）を作り，手のひらに付けて使用してもよく，図９におけるＹ−１に示すとおりである。大型流れ止めブレード（Ｙ）を左手の指または手のひらに付け，右手で握り手を握り（左利きの場合には反対），遮水に協力する。
【図面の簡単な説明】
【００２４】
【図１】家庭用歯の清掃器の貯水タンクＡの断面図である。
【図２】ピストン式貯水タンクの簡単な概略図である。
【図３】握り手Ｃの断面図である。
【図４】各タイプの逆流カバーＤの断面図で、Ｄ１はボウル／カップ状逆流カバー、Ｄ１−１はラッパ状逆流カバー、Ｄ１−２，Ｄ１−３は混合形逆流カバー、Ｄ２は軟質の毛が内蔵されている逆流カバー、Ｄ３は広縁付きの逆流カバー、Ｄ４は逆流カバーの異形、Ｄ５は外部支持体を有する逆流カバー、Ｄ５−１は内、外部支持体を有する逆流カバー、Ｔ−１１は外部支持体の側面図、Ｔ−１２は内部支持体の側面図、Ｔ１は三つのブレードを備える支持体の平面図、Ｔ２は四つのブレードを備える支持体の平面図である。
【図５】Ｅ１は噴水ヘッドＥの断面図で、Ｅ１−１は分解図である。
【図６】Ｆは調整式ノズルＦ全体の斜視図で、Ｆ−１はそれぞれベースプレート（２１）、フェースプレート（２２）の斜視図であり、Ｆ−２は透かし彫りのフェースプレート（２２）の斜視図で、Ｆ−３はノズルＦの本発明における応用図である。
【図７】Ｆ１は調整式ノズルの第２実施例の断面図で、Ｆ１−１は操作弁の断面拡大図、図Ｆ１−２は操作レバー（３１）、漏れ止めボール（３８）、排水ボール（３９）、内蔵バネ（４２）の間の構造関係の拡大図である。
【図８】小型流れ止めブレードＧ、Ｇ１、Ｇ２の斜視図、及び本発明における応用位置図Ｇ−１、Ｇ−２である。
【図９】大型流れ止めブレードＹの３つのタイプの斜視図である。
【図１０】貯水タンクＡの別の実施例の断面図である。
【考案を実施するための形態】
【００２５】
使用時，まず浄水入水口（１）から浄水を注ぎ，密封カバー（５）を被せる。同様に廃棄水出水口（４）に密封カバー（５）を被せる。手で握り手を握り，中空垂下ヘッド（１０）付きの廃棄水管（７）を口腔内に置き，噴水ヘッドを歯に向け，スイッチを押し，電源を入れると，モータが作動して浄水を吸い上げて歯に向かって噴出し，飛び散った水しぶきを逆流カバーで収集する；浄水チャンバーの体積が徐々に縮小し，廃棄水チャンバーの体積は等量に増加するため，負圧を発生させ，負圧の作用下で，自動的に廃棄水管（６）を介して口腔から廃棄水を廃棄水チャンバーＨ内に導出する。
【００２６】
家庭用歯の清掃器が図１０における貯水タンクＡを用いた場合，まず容器Ｐを貯水タンクＡの穴付き蓋（４７）の中から引き抜き，浄水口（４６）の上の穴付き蓋（４７）を開け，浄水を入れ，穴付き蓋（４７）を被せ，容器Ｐを穴付き蓋（４７）の中に対応して挿入すると使用することができる。
【００２７】
ノズルの第２実施例を使用して歯の清掃を行う場合には，操作ボタン（３３）を手で押しまたは歯に軽く叩くだけで水流を簡単に切り換えることができる。
【００２８】
歯の内縁を清掃する際，異形逆流カバーＤ５が取り付けられた噴水ヘッド，即ち専用の歯内縁噴水ヘッドを使用することができ（当然ながら通常の噴水ヘッドを使用してもよい），同時に大型流れ止めブレードＹを左手に付ける。歯の清掃時，頭を少し後ろに倒し，飛び散った水しぶきを大型流れ止めブレードＹで止め，且つ水滴り落ち口（４１）を下且つ口腔に向け，これにより水滴り落ち口（４１）に沿って滑り落ちた水を口腔に入れ，続いて廃棄水管（７）を介して導出することができる。これにより，体や地面に水がこぼれていることをこれ以上心配する必要はない。人が椅子に座っても，ソファに横になっても，いずれも歯の清掃を順調に完遂させることができる。
【００２９】
使用完了後、スイッチを切り廃棄水口（４）上の密封カバー（５）を開き、廃棄水を捨て、且つ廃棄水チャンバーを清掃する。図１０の貯水タンクＡを使用する時、貯水タンクＡと容器Ｐを分離して、貯水タンクＡを清掃する。
【符号の説明】
【００３０】
各図面において，同じ数字とアルファベットは同じ部材を表し，対応関係は以下のとおりである：
Ａ，貯水タンク；Ｂ，モータ；Ｃ握り手；Ｄ逆流カバー；Ｅ，噴水ヘッド；Ｆ，ノズル；Ｇ，小型流れ止めブレード；Ｙ，大型流れ止めブレード；Ｘ，浄水チャンバー；Ｈ，廃棄水チャンバー；Ｐ，容器；１，浄水入水口；２，浄水出水口；３，廃棄水入水口；４，廃棄水出水口；５，密封カバー；６，浄水配管；７，廃棄水管；８，電線／電極；９，不浸透性軟質膜；１０，中空垂下ヘッド；１１，カバー本体；１２，カバーの内部空間；１３，軟質の毛；１４，外ネジ継手；１５，外部ホース；１６，内部ホース；１７，防水リング；１８固定リング；１９，ノブ；２０，軟質遮水層；２１ベースプレート；２２，フェースプレート；２３広縁；２４，ギャップ；２５，軸心；２６，ボトム；２７，ブレード；２８，バックル；２９，ハンドグリップ；３０，指挿入リング；３１，操作レバー；３２，バネ；３３，操作ボタン；３４，作動チャンバー；３５，排水口；３６，トップカバー；３７，フェースプレート出水孔；３８，漏れ止めボール；３９，排水ボール；４０，ベースプレート出水孔；４１，水滴り落ち口；４２，内蔵バネ；４３，アヒル口状水溜まり口；４４，指挿入ハーフリング；４５，ハーフハンドグリップ；４６，浄水口；４７，穴付き蓋；４８，ガラス製挿入管；４９，廃棄水口。
【図１】
0003225483.tif 000003
【図２】
0003225483.tif 000004
【図３】
0003225483.tif 000005
【図４】
0003225483.tif 000006
【図５】
0003225483.tif 000007
【図６】
0003225483.tif 000008
【図７】
0003225483.tif 000009
【図８】
0003225483.tif 000010
【図９】
0003225483.tif 000011
【図１０】
0003225483.tif 000012